(57)【要約】【課題】  粉体を取り扱う装置の容器壁の軸孔近傍の壁面に付着の粉体をクリーニングし、軸孔と回転軸の間から粉体が容器外への漏出を阻止するシール部材の取付方法及びシール部材を提供する。【解決手段】  粉体を収容した容器内で粉体を処理する回転処理手段の回転軸５ｂの軸孔５とこの回転軸５ｂとの間隙を通って容器に収納の粉体が容器外部に漏れ出すことを防止するため、これらの間隙においてカットパイル３ａを遠心方向に立設した円筒状シール部材２ａを回転軸５ｂの外周面に取付け、この円筒状シール部材２ａを回転軸５ｂの回転と共に回転させて軸孔５の内径部分をカットパイル３ａにより摺擦してクリーニングし、軸孔５と回転軸５ｂの間隙から容器外部へ粉体が漏れ出すことを防止する。【選択図】      図２
2008164144.tif 000002
【特許請求の範囲】
【請求項１】
粉体を収容する容器の容器側壁に形成の軸孔に粉体攪拌用の回転軸を挿通し、容器側壁に形成の軸孔内径と回転軸の間隙にカットパイルを遠心方向に立設した円筒状シール部材を回転軸の外周面に配設し、該シール部材を回転軸の回転と共に回転させながら軸孔内径部分をカットパイルにより摺擦してクリーニングし、容器側壁の軸孔と回転軸の間隙から容器外部への粉体の漏れを防止することを特徴とする円筒状シール部材による粉体の漏れ防止方法。
【請求項２】
上記の円筒状シール部材による粉体の漏れ防止方法において、軸孔内径部分をカットパイルにより摺擦してクリーニングする方法は、容器側壁の軸孔面のカットパイルによる摺擦に加えて、円筒状シール部材の一端側のカットパイルの一部を容器の内壁面側に入り込ませて容器の内壁面に当接せしめて摺擦し、かつ、円筒状シール部材の他端側のカットパイルを軸孔の外側の容器側壁外周面に当接せしめて摺擦してクリーニングすることを特徴とする請求項１に記載の円筒状シール部材による粉体の漏れ防止方法。
【請求項３】
上記のシール部材による粉体の漏れ防止方法において、円筒状のカットパイルを回転軸に直接取り付けるか、円筒状支持部材の外表面にカットパイルを遠心方向に立設して形成の円筒状シール部材を回転軸に圧入して挿着し、カットパイルを軸孔内面及び容器内側壁面並びに容器外壁面にそれぞれ配設してカットパイルにより軸孔内面及び容器内側壁面並びに容器外壁面を摺擦してクリーニングすることを特徴とする請求項１又は２に記載のシール部材による粉体の漏れ防止方法。
【請求項４】
上記のシール部材による粉体の漏れ防止方法において、外表面にカットパイルを遠心方向に立設した円筒状支持部材は内面をゴムもしくは軟質樹脂を含む樹脂よりなる高摩擦係数のパイプから形成し、該円筒状支持部材を回転軸に挿入係止してカットパイルにより軸孔部の内面及び容器側壁の軸孔の周壁面をカットパイルにより摺擦してクリーニングすることを特徴とする請求項３に記載のシール部材による粉体の漏れ防止方法。
【請求項５】
上記の粉体の漏れ防止に用いるカットパイルは、天然繊維もしくは合成繊維のファイバーよりなり、カットパイルに用いるファイバーの単位面積当たりの本数Ｎは、下記の式（１）に示す範囲で構成されていることを特徴とするカットパイル状シール部材。
［Ｌ／｛２×（２Φt＋ΦF）｝］2＜Ｎ≦［Ｌ／（２×ΦF）］2……（１）
なお、式（１）において、Ｌはカットパイルを遠心方向に立設状に織成して円筒状としたシール部材の単位長さ、ΦFはカットパイルに用いるファイバーの平均径、Φtは粉体の平均粒子径である。
【発明の詳細な説明】
【技術分野】
【０００１】
本発明は粉体を取り扱う装置、すなわち、粉体を収容する容器と該容器に挿通した粉体攪拌用の回転軸との間から収容した粉体が外部に漏出しないようにシールする方法、特に回転軸と一体になって回転するシール部材を用いて容器をシールする方法及びそのシール部材に関する。
【背景技術】
【０００２】
従来から粉体を取り扱う装置において、容器内の粉末を攪拌するための回転軸とこの回転軸を挿通している容器の回転軸孔との間隙から容器内の粉末が外部に漏れだすことを防止するために、これらの容器の回転軸孔と回転軸との間隙にシール部材を配設してシールしている。
【０００３】
一般のシール部材には、オイルシールのようなゴム系のシール部材やスポンジ系のシール部材あるいはフェルト系のシール部材が適用される。さらに容器と容器中に挿通された回転軸との周りを密封するシール部材としては、グランドパッキングがある。このグランドパッキングのシール部材は、通常、木綿やアスベストや金属箔などに潤滑剤などを含浸させた断面四角の円筒状の成形体からなり、パッキン押えで締めつけて配設されている。
【０００４】
従来の技術では、容器部と攪拌部材の回転軸の間隙にフェルトやＯリングなどのシール部材を適用し、それらのシール部材を密着させてシールをしている（例えば、特許文献１参照。）。しかし、このような従来のフェルトやＯリングなどのシール部材では、それらの間隙にキャリアやトナーの粉体が侵入し、シール性が不十分であった。これに対し、マグネットを用いた方法が考えられている。しかしながら軸方向からの負荷が生じた場合は、マグネットと軸との隙間からキャリアやトナーが侵入し、これもシール性は十分とはいえなかった。
【０００５】
さらに、摩擦係数の小さな面同士を圧接させてシールする方法が提示されている（例えば、特許文献２参照。）。しかし、弾性体となるシール部材は軸受の内端面に固定されており、弾性体の中にキャリアやトナーが侵入し、シール性に不十分であった。
【０００６】
さらに、ゴムシール部材からなるシール部材が提案されている（例えば、特許文献３参照。）。このシール部材によるシール方法は回転軸とシール部材の間からキャリアやトナーの侵入を防止するシール方法であって、回転軸が回転するのに対し、ゴムシールが固定されている。このためにゴムのへたり及び摩耗などによって寿命がもたず、トルクの増加が生じていた。
【０００７】
さらに、押圧部材等の変形を生じない範囲で充分に圧縮することができ、充分なシール性をうることができるパイルを用いたシール部材がパッキン材として提案されている（例えば、特許文献４参照。）。しかし、このシール部材は、シール部材のパイルのファイバーを支持する支持部材を円筒状シール部材のリング外殻部とし、パイルのファイバーはその支持部材である円筒状の外殻部の内周面から中心に向けて植毛されているものとして、シール部材の支持部材が取付孔の内表面と当接して配設され、シール部材を取付孔の内表面との摩擦で周り止めして回転しないものとし、中心に向いたパイルの先端を回転軸と当接させてシールしながらも回転軸を回転しうるものとしている。
【０００８】
【特許文献１】実公昭５８−２９４７９号公報
【特許文献２】実開昭６２−３５３６２  号公報）
【特許文献３】特開平９−１９７８１５号公報
【特許文献４】特開２００３−５６７０９号公報
【発明の開示】
【発明が解決しようとする課題】
【０００９】
本発明が解決しようとする課題は、粉体を取り扱う装置における容器内の回転による粉体処理装置の回転軸を挿通するための容器壁に設けた軸孔とこの軸孔に挿通した回転軸の間に、例えば電子写真の画像処理装置のトナーの粉末を収容したトナー容器の側壁の軸孔とこの軸孔に挿通の供給ローラの回転軸の間や、同画像処理装置のトナー容器の側壁の軸孔とこの軸孔に挿通の攪拌ローラの回転軸の間や、あるいは粉体ミキサーの容器壁の軸孔とこの軸孔に挿通の撹拌羽根の回転軸の間に挿着して、容器側壁の軸孔の孔周面及びその両側部の容器側壁の軸孔近傍の壁面に付着している粉末をクリーニングして除去し、粉末が容器外へ漏れ出すことを阻止するシール部材の取付方法及びそのシール部材を提供することである。
【課題を解決するための手段】
【００１０】
上記の課題を解決するための本発明の手段について説明する。
まず、請求項１の発明の手段は、粉体を収容した容器内で粉末を処理する、例えば攪拌処理する、ための回転処理装置において、この容器の回転処理装置を回転するための回転軸挿通用の軸孔とこの軸孔に挿通した回転軸との間隙を通って容器に収納の粉体が容器外部に漏れ出すことを防止するために、これらの間隙においてカットパイルを遠心方向に立設した円筒状シール部材を回転軸の外周面上に配設し、この円筒状シール部材を回転軸の回転と共に回転させながら軸孔内径部分をカットパイルにより摺擦してクリーニングし、容器側壁の軸孔と回転軸の間隙から容器外部へ粉体が漏れ出すことを防止することを特徴とする粉体の漏れ防止方法である。
【００１１】
これまでのシールは粉末の漏れを防止することを主眼としており、容器壁の内壁面に付着した粉末をクリーニングして粉末を除去することについて考慮していなかった。このためにシールは容器壁の外面側と軸受の間に挿着するように容器壁の軸孔に固着して回転軸をシール部材で摺擦して粉末の通り抜けを阻止していた。しかし、本願発明は従来との配設方法と逆にカットパイルを遠心方向に立設状に配設して円筒状シールとし、この円筒状シールのカットパイルが遠心方向の外側に向いているという特性を生かして軸孔及びその周辺の容器壁面に付着している粉体を除去することとし、このことにより従来の単に回転軸面を摺擦して粉体の通り抜けを阻止する方法に比し、より一層に粉体が容器外へ漏出しないようにした防止方法である。
【００１２】
請求項２の発明の手段は、上記の円筒状シール部材による粉体の漏れ防止方法において、軸孔内径部分をカットパイルにより摺擦してクリーニングする方法は、カットパイルにより軸孔面を摺擦すると共に、円筒状シール部材の一端側のカットパイルの一部を容器の内壁面側に入り込ませて容器内壁面に当接せしめて摺擦し、さらに円筒状シール部材の他端側のカットパイルを軸孔の外側の容器側壁外周面に当接せしめて摺擦してクリーニングすることからなる請求項１の手段のシール部材による粉体の漏れ防止方法である。すなわち、軸孔面のみならず容器壁の内面の及び軸孔の外周面もカットパイルにより摺擦することで、粉体をより一層に除去して容器外へ漏出しないようにした防止方法である。
【００１３】
請求項３の発明の手段は、上記のシール部材による粉体の漏れ防止方法において、第１として円筒状シール部材を回転軸に直接取り付けるものとするか、第２として円筒状支持部材の外表面にカットパイルを遠心方向に立設して形成の円筒状シール部材とし、この円筒状支持部材を回転軸に圧入して挿着することで、カットパイルを軸孔内面及び容器内側壁面並びに容器外壁面にそれぞれ配設するものとし、この第１あるいは第２の方法によるこれらのカットパイルにより軸孔内面及び容器内側壁面並びに容器外壁面を摺擦してクリーニングすることを特徴とする請求項１又は２の手段のシール部材による粉体の漏れ防止方法である。
【００１４】
請求項４の発明の手段は、上記のシール部材による粉体の漏れ防止方法において、外表面にカットパイルを遠心方向に立設した円筒状支持部材は、パイプ内面をゴムもしくは軟質樹脂を含む樹脂よりなる高摩擦係数のパイプから形成し、この円筒状支持部材を回転軸に挿入係止してカットパイルにより軸孔部の内面及び容器側壁の軸孔の周壁面をカットパイルにより摺擦してクリーニングすることを特徴とする請求項３の手段のシール部材による粉体の漏れ防止方法である。
【００１５】
請求項５の発明の手段は、上記の粉体の漏れ防止に用いる円筒状シール部材のカットパイルは、天然繊維もしくは合成繊維よりなり、パイルに用いるファイバーの単位面積当たりの本数Ｎは、下記の式（１）に示す範囲で構成されていることを特徴とするパイル状シール部材である。
［Ｌ／｛２×（２Φt＋ΦF）｝］2＜Ｎ≦［Ｌ／（２×ΦF）］2……（１）
なお、式（１）において、Ｌはカットパイルを遠心方向に立設状に織成して円筒状としたシール部材の単位長さ、ΦFはカットパイルに用いるファイバーの平均径、Φtは粉体の平均粒子径である。
【発明の効果】
【００１６】
本発明は上記のパイルを遠心方向に立設状に配設した円筒状シール部材を粉末を処理する器具の回転軸に配設することで、粉体を用いて処理する装置、例えば電子写真の画像処理装置における現像剤であるトナーの粉体を収容した容器で攪拌する攪拌装置の回転軸あるいは上記容器からトナーの粉体を供給する供給ローラの回転軸とこれらの回転軸を挿通する容器の器壁との間からトナーの粉体が漏れださないようにシールするだけでなく、軸孔の周囲すなわち軸孔を有する器壁の内側面の軸孔周辺部をパイルの先端部で摺擦することによりこれらの部分に付着した粉体をクリーニングして除去することにより、従来の単にシールで粉体の通り抜けを阻止するだけのシール方法に比して一層的確に粉体の漏れ出しを防止できる優れた作用効果を奏することができ、さらにこの方法に使用のシール部材の構成を規定して確実に本発明のシール方法と実施できるものとするなど、本発明は優れた効果を奏する。
【発明を実施するための最良の形態】
【００１７】
発明を実施するための最良の形態について、図面を参照して説明する。
本発明の実施の形態として、本発明の方法を実施する粉体を収容する容器９を有する粉体を取り扱う装置１である上記の電子写真の画像処理装置６について模式図により説明する。先ず、図１に見られる電子写真の画像処理装置６は、その感光体ドラム６ａと転写ローラ６ｂを有し、クリーニングブレード６ｅで感光ドラムに６ａに付着したトナーの粉体を除去し、クリーニングされた感光ドラム６ａを帯電器６ｄで帯電させ、次いで光学部６ｃで影像を感光ドラム６ａに受像し、この潜像を現像剤担持ローラ７からのトナーにより現像化して転写ローラ６ｂで紙に転写し、熱定着する。一方、トナー容器９ａに収容のトナーを攪拌ローラ１０で攪拌し、トナーをトナー容器９ａから容器の容器側壁８ｂに回転軸８ａで軸支された供給ローラ８により現像剤担持ローラ７に担持させている。
【００１８】
先ず、請求項１の発明の手段の方法を適用する電子写真の画像処理装置６に適用した例により説明する。例えば図２に示すように、本発明の方法に使用するカットパイル３ａを遠心方向に立設した円筒状シール部材２ａは、電子写真の画像処理装置６のトナー容器９ａの容器側壁９ｂの軸孔周辺部９ｆとトナーの供給ローラ８の回転軸８ａの間に適用してシールするために使用される。このシール部材２のカットパイル３ａはパイル織物の輪状に突出するパイルの先端部をカットして繊維状にしたパイルのことであり、図５に示すように円筒状シール部材２ａはカットパイル３ａを遠心方向に立設した円筒状支持部材２ｂから形成されている。なお、図２において、攪拌ローラ１０の回転軸１０ａは容器側壁９ｂに開口の軸孔９ｄ中に挿通されており、軸受５ａで軸支されており、円筒状シール部材２ａはそのカットパイル３ａを遠心方向に向けて回転軸１０ａに配設されている。このように本発明のシール部材２の使用方法は、粉体を収容する容器９であるトナー容器９ａの容器側壁９ｂに形成の軸孔９ｄに粉体の攪拌ローラ１０の回転軸１０ａを挿通し、この容器側壁９ｂに形成の軸孔９ｄの軸孔内径部分９ｅと回転軸１０ａの間隙にシール部材２を配設されている。この攪拌ローラ１０は撹拌羽根１０ｂ有し、トナー容器９ａ内で、回転羽根１０ｂの回転により粉体を攪拌する。ところで、シール部材２はカットパイル３ａを遠心方向に立設した円筒状シール部材２ａを回転軸１０ａの外周面に配設している。この方法では、回転軸１０ａに配設した円筒状シール部材２ａを回転軸１０ａの回転と共に回転させながら軸孔９ｄの軸孔内径部分９ｅを円筒状シール部材２ａの周囲に設けたカットパイル３ａの先端部分で摺擦してクリーニングし、容器側壁９ｂの軸孔９ｄと回転軸１０ａの間隙からトナー容器９ａの外部へ粉体の漏出を防止している。このように粉体が漏出することが防止されているので、回転軸１０ａの軸受５ａにも粉体が侵入して回転が阻害されることも防止されている。
【００１９】
図３により、画像処理装置６の供給ローラ８に適用した場合について説明する。この場合、上記の攪拌ローラ１０で均一に攪拌されたトナーは供給ローラ８を有する容器に供給され、さらにこの供給ローラ８により現像剤担持ローラ７の表面にトナーが担持される。この場合、上記の攪拌ローラ１０と場合と同様に、この供給ローラ８においても、容器の容器側壁８ｂに開口の軸孔９ｄ中に挿通されており、軸受５ａで軸支されており、円筒状シール部材２ａはそのカットパイル３ａを遠心方向に向けて回転軸８ａに配設されている。この方法では、回転軸８ａに配設した円筒状シール部材２ａを回転軸８ａの回転と共に回転させながら軸孔８ｄの軸孔内径部分８ｅを円筒状シール部材２ａの周囲に設けたカットパイル３ａの先端部分で摺擦してクリーニングし、容器側壁８ｂの軸孔８ｄと回転軸８ａの間隙から容器の外部へ粉体の漏出を防止している。図４は軸孔８ｄの外周部の形状及び軸受５ａの形状が少し異なるがその他の部分は図３と同様であり、トナーの容器側壁８ｂの軸孔８ｄと回転軸８ａの間隙から容器側壁８ｂの外部へ軸孔８ｄを通じて粉体が漏出することを防止している。
【００２０】
さらに、図５により、粉体ミキサーの容器１２の撹拌羽根１１ｂの回転軸１１ａに適用した場合について説明する。この場合、粉体ミキサーの容器１２に開口の軸孔１１ｃに撹拌羽根１１ｂの回転軸１１ａを挿通し、回転軸１１ａを軸受５ａにより軸孔５の外側端部に支承している。さらに回転軸１１ａに配設の円筒状シール部材２ａのカットパイル３ａの一端は容器内壁面１２ａに当接するように配設されている。この軸孔５と回転軸１１ａの間隙から容器１２内の粉体が漏出しないようにするために、シール部材２としてカットパイル３ａを遠心方向に向けた円筒状シール部材２ａを回転軸１１ａに配設して軸孔１１ｃと回転軸１１ａの間に位置させ、カットパイル３ａにより軸孔内径部分をカットパイル３ａにより摺擦してクリーニングし、容器１２の軸孔１１ｃと回転軸１１ａの間隙から容器１２の外部へ粉体が漏出することを防止している。
【００２１】
請求項２の発明の実施の手段の方法を画像処理装置６の供給ローラ８適用した例により説明する。上記の円筒状シール部材２ａによる粉体の漏出を防止する手段において、トナー容器９ａの容器側壁９ｂに形成の軸孔９ｄの軸孔内径部分９ｅをカットパイル３ａにより摺擦してクリーニングする。この方法では、容器側壁９ｂの軸孔９ｄにおいて、円筒状シール部材２ａの一端側のカットパイル３ａの一部をトナー容器９ａの容器側壁９ｂの内壁面９ｃの側に入り込ませている。この入り込んだカットパイル３ａの部分をトナー容器９ａの内壁面９ｃに当接させ、攪拌ローラ１０の回転軸１０ａの回転と共に円筒状シール部材２ａを回転させて内壁面９ｃを摺擦させることにより、容器側壁９ｂの内壁面９ｃに付着したトナーをクリーニング作用により除去するものとしている。さらに円筒状シール部材２ａの他端側のカットパイル３ａを軸孔９ｄの外周部に当接させ、この部分をカットパイル３ａで摺擦してクリーニングすることにより、粉体を収容する容器９から円筒状シール部材２ａの部分からトナーが漏出することをより一層に防止している。この請求項２の発明の手段では、画像処理装置６の供給ローラ８に適用した場合、あるいは上記の粉体ミキサーの容器１２に適用した場合についてもトナー容器９ａの容器側壁９ｂに形成の軸孔９ｄと同様に粉体が容器の側壁の内面及び軸孔の外周部から摺擦によりクリーニングにより除去され、漏出が防止される。
【００２２】
さらに請求項３の発明の実施の手段の方法を同じく適用する画像処理装置６の供給ローラ８の例により説明する。上記の円筒状シール部材２ａによる粉体の漏出を防止する方法に適用の装置において、第１の方法として図６に示す、カットパイル３ａを有する円筒状シール部材２ａを回転軸１０ａに直接取り付けてトナー容器９ａの容器側壁９ｂに開口の軸孔９ｄに挿通するものとする。すなわち、織成したカットパイル３ａの織地基部をそのまま回転軸１０ａに挿通して取り付けるものとする。第２の方法は、別途に形成の円筒状支持部材２ｂの外表面にカットパイル３ａを遠心方向に立設して織成した円筒状シール部材２ａを一体化し、この円筒状支持部材２ｂを回転軸１０ａに圧入挿着して取り付けるものとする。このようにカットパイル３ａを軸孔内径部分９ｅに配向するようにして、軸孔９ｄの内面及びトナー容器９ａの内壁面９ｃ並びに容器外周面９ｇのそれぞれの部分にカットパイル３ａを配設する。このカットパイル３ａによりこれらの軸孔９ｄの内面及びトナー容器９ａの内壁面９ｃ並びに容器外周面９ｇを摺擦し、それらの部分の粉体をクリーニングして取り除き、粉体がトナー容器９ａから外部へ漏出することを防止している。もちろんこの手段は供給ローラ８あるいは粉体ミキサー１１の各回転軸８ａあるいは１１ａにも適用して、容器側壁８ａあるいは粉体ミキサー１１の器壁から外部へ粉体が漏出することが防止される。
【００２３】
請求項４の発明の手段について説明する。この手段は上記の請求項３の手段のシール部材による粉体の漏れ防止方法において、外表面にカットパイル３ａを遠心方向に立設した円筒状支持部材２ｂは内面をゴムもしくは軟質樹脂を含む樹脂よりなる高摩擦係数のパイプから形成され、該円筒状支持部材２ｂを例えば攪拌ローラ１０の回転軸１０ａに挿入して摩擦により係止し、そのカットパイル３ａにより軸孔内径部分９ｅ及び容器側壁９ｂの軸孔周辺部９ｆの内壁面９ｃをカットパイル３ａにより摺擦してクリーニングするシール部材２による粉体の漏出を防止する方法である。
【００２４】
請求項５の発明の手段について説明する。上記の粉体の漏れ防止に用いるカットパイル３ａを図６に示す。このカットパイル３ａは天然繊維もしくは合成繊維のファイバーより形成する。このカットパイル３ａに用いるファイバーの単位面積当たりの本数をＮとするとき、Ｎは下記の式（１）に示す範囲で構成されている。
［Ｌ／｛２×（２Φt＋ΦF）｝］2＜Ｎ≦［Ｌ／（２×ΦF）］2……（１）
なお、式（１）において、Ｌはカットパイル３ａを遠心方向に立設状に織成して円筒状シール部材２ａとしたシール部材２の単位長さであり、ΦFはカットパイル３ａに用いるファイバーの平均径であり、Φtは粉体の平均粒子径である。図６において、シール部材２である円筒状シール部材２ａは円筒状支持部材２ｂの周囲に遠心方向にカットパイル３ａを立設しており、図６の（ａ）は円筒状シール部材２ａの正面図で、（ｂ）は円筒状シール部材２ａの側面図である。上記の通り円筒状支持部材２ｂは内面をゴムもしくは軟質樹脂を含む樹脂よりなる高摩擦係数のパイプから形成されている。一方、カットパイル３ａを形成するパイルもしくはファイバー２の材質は、綿や羊毛あるいは絹などの天然繊維、もしくはポリエステル、ポリアミド、アクリル、ポリプロピレン、酢酸ビニルやレーヨンなどの合成繊維や人造繊維よりなり、それらの混織された繊維よりなる。
【００２５】
上記において、カットパイル３ａは、そのパイルの長さをｌとし、軸孔５の内壁面のパイル間のオーバーラップ量をδとするとき、オーバーラップ量δは（２）式に示す関係を有している。
ｌ−｛ｌ×（ΦF／Ｐ）｝≧δ＞ｌ−［ｌ×｛（ΦF＋２Φt）／Ｐ｝］……（２）
なお、（２）式において、
Ｐ＝Ｌ／（Ｎ）1/2……（３）
の関係を有し、Ｐはカットパイル３ａの平均ピッチを示す。上記の（２）式は、カットパイル３ａが傾倒して、密接したときの条件の式であり、基本的には最大荷重になる条件である。上記（２）式において、ΦF／Ｐ及び（ΦF＋２Φt）／Ｐはｓｉｎθの大きさを表わし、ΦF／Ｐはカットパイル３ａ同士のが接するときの角度であり、（ΦF＋２Φt）／Ｐは粉体がカットパイル３ａ間に２個入るときの角度を表わす。したがって、カットパイル３ａの長さｌを乗じるとカットパイル３ａが傾倒したときの高さがわかり、荷重のないときの高さである［ｌ×｛（ΦF＋２Φt）／Ｐ｝］の値をカットパイル３ａの長さｌから減じると、変形量δになる。
【００２６】
上記のシール部材２によりシールする粉体の粒子径は、例えばトナーの場合には、平均粒子径Φtは１μｍのものから４０μｍのものが存在する。一方、上記のパイルもしくはファイバー３の平均ファイバー径ΦFは３０μｍ以下のものである。このように、シール部材２は軸孔５と低摩擦を達成するために、植毛されたパイルもしくはファイバー３、あるいは織成されたカットパイル３ａであるが、それらは上記の平均ファイバー径ΦFからなっており、軸孔５との接触荷重が小さく、摩擦熱が著しく軽減されている。これらのシール部材２の寿命は、作用する力が低荷重であり、かつ、パイルもしくはファイバー３を構成する多数の繊維により粉体の漏出を防止する密度であるので、シール部材２は高寿命を達成することができる。
【００２７】
このシール部材２の粉体のシール性について説明すると、円筒状シール部材２ａのパイルもしくはファイバー３は粉体の粒径に合った所定のパイル密度もしくはファイバー密度に構成され、回転軸５ｂ（８ａ、１０ａ、１１ａ）の回転により回転軸５ｂに係止の円筒状シール部材２ａの遠心方向に立設のカットパイル３ａが軸孔５及びその周辺と当接して傾倒することで、粉体が回転軸５ｂの軸方向へ流出することを規制している。このためにカットパイル３ａの長さ及び隣同士のカットパイル３ａの間のオーバーラップ量を所定の大きさに設定することで、カットパイル３ａの間を通って粉体が漏出することを防止している。換言すると、カットパイル３ａの間の隣同士の平均ピッチ及びカットパイル３ａの倒れ角度を適宜大きさに規制することで、カットパイル３ａの隣接間に粉体の粒子が２個以上入り難いパイル密度としている。すなわちカットパイル３ａの密度は、粉体の粒子がカットパイル３ａの間に食い込み引っ掛かる間隙からなる食い込み量を有している。
【００２８】
図７にカットパイル３ａのファイバーのヤング率が２７０ｋｇ／ｍｍ2、ファイバーの長さが３ｍｍ、ファイバーの変形量（撓み量）が１．５ｍｍである円筒状シール部材２ａにおいて、平均ファイバー径ΦF（μｍ）と荷重（ｋｇ／１本）の関係を示す。この場合、横軸は平均ファイバー径F（μｍ）であり、縦軸はファイバーに掛かる荷重（ｋｇ／１本）である。
【００２９】
図８に、平均ファイバー径５μｍ、平気ファイバー径１５μｍ、平気ファイバー径３５μｍの圧縮量５０％とするときのファイバー長さと荷重の関係を、縦軸に荷重（ｋｇ／ｃｍ2）横軸にファイバー長さ（ｍｍ）として示す。一方、画像処理におけるトナーの粒子径は上記のように１μｍから４０μｍであるので、これらのトナーを適用しうるファイバーの平均ファイバー径ΦF（μｍ）は、以上の図７及び図８から、使用するトナーの粒子径に合わせて１μｍから４０μｍとすればよい。
【００３０】
図９に、本発明のカットパイル３ａのファイバーを有する円筒状シール部材２ａと従来のＯリングからなる円筒状シール部材のそれぞれの荷重と粉体の食い込み量（ｍｍ）の関係を示す。縦軸は荷重（ｇ）であり、横軸は粉体の食い込み量（ｍｍ）の関係を示す。本発明の円筒状シール部材２ａは荷重５０ｇで０．２ｍｍの食い込み量で、荷重１００ｇで０．８ｍｍ量の食い込み量で、荷重１１０ｇで１．０ｍｍの食い込み量である。これに対し、従来のＯリングでは、荷重と食い込み量の関係は直線的であり、荷重５００ｇで０．１ｍｍの食い込み量で、荷重１０００ｇで０．２ｍｍの食い込み量である。すなわち本発明の円筒状シール部材２ａはシール性が良好であり、かつ、容器の壁内面の粉体を除去するクリーニング性を有しながら軸孔５に掛かるトルクが小さくて済む。しかし、従来のＯリングでは、シール性は極めて悪く大きなトルクを必要とする。
【図面の簡単な説明】
【００３１】
【図１】本発明の方法を適用する画像処理装置の模式的側面図である。
【図２】上記の画像処理装置の攪拌トナー容器の攪拌ローラのカットパイルの適用状況を示す一部断面で示す模式的側面図である。
【図３】上記の画像処理装置の供給ローラのカットパイルの適用状況を示す一部断面で示す模式的側面図である。
【図４】上記図３の他の実施形態の一部断面で示す模式的側面図である。
【図５】粉体ミキサーのカットパイルの適用状況を示す一部断面で示す模式的側面図である。
【図６】カットパイルの（ａ）は正面図、（ｂ）は側面断面図を模式的に示す図である。
【図７】本発明におけるカットパイルのファイバー径ΦF（μｍ）と荷重（ｋｇ／１本）の関係を示すグラフである。
【図８】本発明におけるカットパイルのファイバー長さと荷重の関係を示すグラフである。
【図９】本発明の円筒状シール部材と従来のＯリングについて荷重と食い込み量の関係を示すグラフである。
【符号の説明】
【００３２】
１  粉体を取り扱う回転装置
２  シール部材
２ａ  円筒状シール部材
２ｂ  円筒状支持部材
３  パイルもしくはファイバー
３ａ  カットパイル
４  回転体
５  軸孔
５ａ  軸受
５ｂ  回転軸
６  画像処理装置
６ａ  感光ドラム
６ｂ  転写ローラ
６ｃ  光学部
６ｄ  帯電器
６ｅ  クリーニングブレード
７  現像剤担持ローラ
８  供給ローラ
８ａ  回転軸
８ｂ  容器側壁
８ｃ  内壁面
８ｄ  軸孔
８ｅ  軸孔内径部分
９  粉体を収容する容器
９ａ  トナー容器
９ｂ  容器側壁
９ｃ  内壁面
９ｄ  軸孔
９ｅ  軸孔内径部分
９ｆ  軸孔周辺部
９ｇ  外周面
１０  攪拌ローラ
１０ａ  回転軸
１１  粉体ミキサー
１１ａ  回転軸
１１ｂ  撹拌羽根
１２  容器
１２ａ  容器内壁面
【図１】
2008164144.tif 000003
【図２】
2008164144.tif 000004
【図３】
2008164144.tif 000005
【図４】
2008164144.tif 000006
【図５】
2008164144.tif 000007
【図６】
2008164144.tif 000008
【図７】
2008164144.tif 000009
【図８】
2008164144.tif 000010
【図９】
2008164144.tif 000011